(57)【要約】【課題】  半導体装置の外観検査工程での作業性が悪い（外観検査効率が低い）。【解決手段】  半導体装置は、主面に複数の電極を有する半導体チップと、前記半導体チップの周囲に配置され、かつ一部が外部端子として用いられる複数のリードと、前記半導体チップの複数の電極と、前記複数のリードとを電気的に接続する複数のボンディングワイヤと、前記半導体チップが搭載されたチップ支持体と、前記チップ支持体に連結された複数の吊りリードと、前記半導体チップ、前記複数のリード、前記チップ支持体、前記複数の吊りリード、及び前記複数のボンディングワイヤを封止し、かつ前記複数のリードの一部、及び前記複数の吊りリードの一部をその裏面から露出する樹脂封止体とを有し、  前記複数の吊りリードのうちの１本は、前記樹脂封止体の裏面から露出する部分が、前記樹脂封止体の向きを識別するためのインデックスとして用いられている。【選択図】        図３
2006229263.tif 000002
【特許請求の範囲】
【請求項１】
主面に複数の電極を有する半導体チップと、
前記半導体チップの周囲に配置され、かつ一部が外部端子として用いられる複数のリードと、
前記半導体チップの複数の電極と前記複数のリードとをそれぞれ電気的に接続する複数のボンディングワイヤと、
チップ搭載面と、前記チップ搭載面と反対側の裏面を有し、かつ前記チップ搭載面上に前記半導体チップが搭載されたチップ支持体と、
前記チップ支持体に連結された複数の吊りリードと、
前記半導体チップ、前記複数のリード、前記チップ支持体、前記複数の吊りリード、及び前記複数のボンディングワイヤを封止し、かつ前記複数のリードの一部、及び前記複数の吊りリードの一部をその裏面から露出する樹脂封止体とを有し、
前記チップ支持体の裏面は、前記樹脂封止体の裏面から露出し、
前記複数の吊りリードのうち１本は、前記樹脂封止体の裏面から露出する部分が他の吊りリードと異なる形状になっていることを特徴とする半導体装置。
【請求項２】
請求項１に記載の半導体装置において、
前記樹脂封止体は、平面が方形状で形成され、
前記吊りリードは４本で構成され、
前記４本の吊りリードは、前記樹脂封止体の４つの角部に対応して前記チップ支持体から前記樹脂封止体の角部に向かって延在し、
前記４本の吊りリードのうちの１本は、前記樹脂封止体の裏面から露出する部分が他の３本の吊りリードと異なる形状になっていることを特徴とする半導体装置。
【請求項３】
請求項２記載の半導体装置において、
前記４本の吊りリードは、平面的及び立体的に真っ直ぐ延在し、その裏面全体が前記樹脂封止体の裏面から露出していることを特徴とする半導体装置。
【請求項４】
請求項３記載の半導体装置において、
前記４本の吊りリードのうちの１本は、前記チップ支持体側に位置する一端部から途中までの幅が、前記一端部とは反対側の前記樹脂封止体の角部に位置する他端部よりも細くなっており、
他の３本の吊りリードは、前記一端部から前記他端部までの途中部分における幅が、前記一端部及び前記他端部のそれぞれの幅よりも細くなっていることを特徴とする半導体装置。
【請求項５】
請求項３記載の半導体装置において、
前記４本の吊りリードのうちの１本は、前記一端部から前記他端部までの途中部分における幅が、前記一端部及び前記他端部のそれぞれの幅よりも細くなっており、
他の３本の吊りリードは、前記一端部から前記他端部に亘って同じ幅の形状になっていることを特徴とする半導体装置。
【発明の詳細な説明】
【技術分野】
【０００１】
本発明は、半導体装置に関し、特に、封止体の裏面（実装面）からリードの一部を露出することによって得られる外部端子を有するノンリード型半導体装置、例えばＱＦＮ（Ｑuad Ｆlatpack Ｎon-leaded package）型、ＳＯＮ（Ｓmall Ｏutline Ｎon-leaded package）型等の半導体装置に適用して有効な技術に関するものである。
【背景技術】
【０００２】
集積回路が搭載された半導体チップを樹脂封止してなる半導体装置においては、様々なパッケージ構造のものが提案され、製品化されている。その中の１つに、例えばＱＦＮ（Ｑuad Ｆlatpack Ｎon-Ｌeaded Ｐackage ）型と呼称される半導体装置が知られている。このＱＦＮ型半導体装置は、半導体チップの電極と電気的に接続されたリードを外部端子として樹脂封止体の裏面から露出させたパッケージ構造になっているため、半導体チップの電極と電気的に接続されたリードを樹脂封止体の側面から突出させて所定の形状に折り曲げ成型したパッケージ構造、例えばＱＦＰ（Ｑuad Ｆlatpack Ｐackage）型と呼称される半導体装置と比較して、平面サイズの小型化を図ることができる。
【０００３】
ＱＦＮ型半導体装置は、その製造においてリードフレームが使用される。リードフレームは、金属板に精密プレスによる打ち抜き加工やエッチング加工を施して所定のパターンを形成することによって製造される。リードフレームは、外枠部及び内枠部を含むフレーム本体で区画された複数の製品形成領域を有し、各製品形成領域には、半導体チップを搭載するためのチップ支持体（タブ，ダイパッド）や、このチップ支持体の周囲に先端部（一端部）を臨ませる複数のリード等が配置されている。チップ支持体は、リードフレームのフレーム本体から延在する吊りリードによって支持されている。リードは、その一端部（先端部）と反対側の他端部がリードフレームのフレーム本体に支持されている。
【０００４】
このようなリードフレームを使用してＱＦＮ型半導体装置を製造する場合、リードフレームのチップ支持体に半導体チップを固定し、その後、半導体チップの電極とリードとを導電性のワイヤで電気的に接続し、その後、半導体チップ、ワイヤ、支持体、吊りリード等を樹脂封止して樹脂封止体を形成し、その後、リードフレームの不要な部分を切断除去する。
【０００５】
ＱＦＮ型半導体装置の樹脂封止体は、大量生産に好適なトランスファ・モールディング法（移送成形法）によって形成される。トランスファ・モールディング法による樹脂封止体の形成は、成形金型（モールディング金型）のキャビティ（樹脂充填部）の内部に、半導体チップ、リード、チップ支持体、吊りリード、及びボンディングワイヤ等が配置されるように、成形金型の上型と下型との間にリードフレームを位置決めし、その後、成形金型のキャビティの内部に熱硬化性樹脂を注入することによって行われる。
【０００６】
なお、ＱＦＮ型半導体装置については、例えば特開２００１−１８９４１０号公報（特許文献１）や、特許第３０７２２９１号（特許文献２）に記載されている。
【０００７】
【特許文献１】特開２００１−１８９４１０号公報
【特許文献２】特許第３０７２２９１号
【発明の開示】
【発明が解決しようとする課題】
【０００８】
ところで、ＱＦＮ型やＳＯＮ型等のノンリード型半導体装置は、その製造において、樹脂封止体の裏面を上向きにした状態でトレイの収納部に収納され、外観検査工程が実施される。外観検査工程では、トレイの収納部から半導体装置を取り出し、その後、樹脂封止体の裏面の外部端子がレジンバリ等の異物によって覆われた不具合等を目視によって検査し、その後、元の状態でトレイの収納部に半導体装置を収納する。
【０００９】
この時、樹脂封止体の主面（裏面と反対側の面：表面）に設けられたインデックス（指標）で樹脂封止体の向きを確認しながら半導体装置を元の状態でトレイに収納しているため、確認の手間が多く、外観検査工程での作業性が悪い（外観検査効率が低い）。
【００１０】
そこで、本発明者は、樹脂封止体の向きを識別するためのインデックスを樹脂封止体の裏面に設けることを検討し、本発明をなした。
【００１１】
本発明の目的は、半導体装置の外観検査効率の向上を図ることが可能な技術を提供することにある。
【００１２】
本発明の前記並びにその他の目的と新規な特徴は、本明細書の記述及び添付図面によって明らかになるであろう。
【課題を解決するための手段】
【００１３】
本願において開示される発明のうち、代表的なものの概要を簡単に説明すれば、下記のとおりである。
【００１４】
本発明の半導体装置は、
主面に複数の電極を有する半導体チップと、
前記半導体チップの周囲に配置され、かつ外部端子として用いられる端子部を有する複数のリードと、
前記半導体チップの複数の電極と、前記複数のリードとを電気的に接続する複数のボンディングワイヤと、
前記半導体チップが搭載されたチップ支持体と、
前記チップ支持体に連結された複数の吊りリードと、
前記半導体チップ、前記複数のリード、及び前記複数のボンディングワイヤを封止し、かつ前記複数のリードの端子部、及び前記複数の吊りリードの一部分をその裏面から露出する樹脂封止体とを有し、
前記複数の吊りリードのうちの１本は、前記樹脂封止体の裏面から露出する部分に、前記樹脂封止体の向きを識別するためのインデックスが構成されている。
【発明の効果】
【００１５】
本願において開示される発明のうち代表的なものによって得られる効果を簡単に説明すれば、下記のとおりである。
【００１６】
本発明によれば、半導体装置の外観検査効率の向上を図ることができる。
【発明を実施するための最良の形態】
【００１７】
以下、図面を参照して本発明の実施の形態を詳細に説明する。なお、発明の実施の形態を説明するための全図において、同一機能を有するものは同一符号を付け、その繰り返しの説明は省略する。
【００１８】
（実施形態１）
本実施形態１では、ＱＦＮ型半導体装置に本発明を適用した例について説明する。
【００１９】
図１は、本実施形態１の半導体装置の内部構造を示す模式的平面図、
図２は、図１のａ−ａ線に沿う模式的断面図、
図３は、本実施形態１の半導体装置の外観を示す模式的底面図（下面図）、
図４は、図１のｂ−ｂ線に沿う模式的断面図、
図５は、本実施形態１の半導体装置をトレイに収納した状態を部分的に示す模式的平面図である。
【００２０】
本実施形態１の半導体装置１ａは、図１及び図２に示すように、半導体チップ２、複数のリード４からなる第１乃至第４のリード群、チップ支持体（ダイパッド，タブ，チップ搭載部）５、４本の吊りリード６、複数のボンディングワイヤ８、及び樹脂封止体９等を有するパッケージ構造になっている。半導体チップ２、第１乃至第４のリード群の複数のリード４、チップ支持体５、４本の吊りリード６、及び複数のボンディングワイヤ８等は、樹脂封止体９によって封止されている。半導体チップ２は、チップ支持体５の主面（上面）に接着材７を介在して接着固定され、チップ支持体５には、４本の吊りリード６が一体的に連結されている。
【００２１】
半導体チップ２は、その厚さ方向と交差する平面形状が方形状になっており、本実施形態では例えば正方形になっている。半導体チップ２は、これに限定されないが、例えば、半導体基板、この半導体基板の主面に形成された複数のトランジスタ素子、前記半導体基板の主面上において絶縁層、配線層の夫々を複数段積み重ねた多層配線層、この多層配線層を覆うようにして形成された表面保護膜（最終保護膜）等を有する構成になっている。
【００２２】
半導体チップ２は、互いに反対側に位置する主面（回路形成面）２ｘ及び裏面を有し、半導体チップ２の主面２ｘ側には集積回路が構成されている。集積回路は、主に、半導体基板の主面に形成されたトランジスタ素子、及び多層配線層に形成された配線によって構成されている。
【００２３】
半導体チップ２の主面２ｘには、複数のボンディングパッド（電極）３が形成されている。複数のボンディングパッド３は、半導体チップ２の各辺に沿って配置されている。
【００２４】
樹脂封止体９は、厚さ方向と交差する平面形状が方形状になっており、本実施形態では例えば正方形になっている。樹脂封止体９は、互いに反対側に位置する主面（上面，表面）９ｘ及び裏面（下面，実装面）９ｙを有し、樹脂封止体９の平面サイズ（外形サイズ）は、半導体チップ２の平面サイズ（外形サイズ）よりも大きくなっている。
【００２５】
樹脂封止体９は、低応力化を図る目的として、例えば、フェノール系硬化剤、シリコーンゴム及びフィラー等が添加されたビフェニール系の熱硬化性樹脂で形成されている。樹脂封止体９の形成方法としては、大量生産に好適なトランスファ・モールディング法を用いている。トランスファ・モールディング法は、ポット、ランナー、樹脂注入ゲート、及びキャビティ等を備えた成形金型（モールド金型）を使用し、ポットからランナー及び樹脂注入ゲートを通してキャビティの内部に熱硬化性樹脂を注入して樹脂封止体を形成する方法である。
【００２６】
樹脂封止型半導体装置の製造においては、複数の製品形成領域を有するリードフレームを使用し、各製品形成領域に搭載された半導体チップを各製品形成領域毎に樹脂封止する個別方式のトランスファ・モールディング法や、複数の製品形成領域を有するリードフレームを使用し、各製品形成領域に搭載された半導体チップを一括して樹脂封止する一括方式のトランスファ・モールディング法が採用されている。本実施形態１の半導体装置１ａの製造では、例えば個別方式のトランスファ・モールディング法を採用している。
【００２７】
第１乃至第４のリード群は、図４及び図５に示すように、樹脂封止体９の４辺に対応して配置され、各リード群の複数のリード４は、半導体チップ２の辺（樹脂封止体９の辺）と同一方向に沿って配列されている。また、各リード群の複数のリード４は、半導体チップ２の周囲に配置され、樹脂封止体９の側面側から半導体チップ２に向かって延在している。
【００２８】
半導体チップ２の複数のボンディングパッド３は、第１乃至第４のリード群の複数のリード４と夫々電気的に接続されている。本実施形態１において、半導体チップ２のボンディングパッド３とリード４との電気的な接続は、ボンディングワイヤ８で行われており、ボンディングワイヤ８の一端部は、半導体チップ２のボンディングパッド３に接続され、ボンディングワイヤ８の一端部と反対側の他端部は、半導体チップ２の周囲において、リード５に接続されている。ボンディングワイヤ８としては、例えば金(Ａｕ)ワイヤを用いている。また、ワイヤ８の接続方法としては、例えば熱圧着に超音波振動を併用したネイルヘッドボンディング（ボールボンディング）法を用いている。
【００２９】
各リード群の複数のリード４は、一部が樹脂封止体９の裏面９ｙから露出し、これらの一部は、外部端子として用いられている。本実施形態１において、リード４は、ワイヤ接続面と反対側の面全体が樹脂封止体９の裏面９ｙから露出している。
【００３０】
チップ支持体５は、外形サイズが半導体チップ２よりも小さい、所謂小タブ構造になっており、チップ支持体５の主面（チップ搭載面）と反対側の裏面は、樹脂封止体９の裏面９ｙよりも内側に位置し、樹脂封止体９の樹脂で覆われている。
【００３１】
４本の吊りリード６は、樹脂封止体９の４つの角部に対応してチップ支持体５から樹脂封止体９の角部に向かって延在している。４本の吊りリード６は、詳細に図示していないが、図４に示すように、チップ支持体５に連結された第１の部分と、この第１の部分から樹脂封止体９の裏面９ｙ側に折れ曲がる第２の部分と、この第２の部分から樹脂封止体９の角部に向かって延びる第３の部分６ａとを有する構成になっている。即ち、本実施形態１の半導体装置１ａは、チップ支持体５が吊りリード６の第３の部分６ａよりも樹脂封止体９の主面９ｘ側に位置する、所謂タブ上げ構造になっている。
【００３２】
４本の吊りリード６は、図３及び図４に示すように、一部が樹脂封止体９の裏面９ｙから露出している。本実施形態１において、４本の吊りリード６は、第３の部分６ａが樹脂封止体９の裏面９ｙから露出している。
【００３３】
４本の吊りリード６の第３の部分６ａは、樹脂封止体９の裏面９ｙの４つの角部に配置されている。この４つの第３の部分６ａのうちの１つは、他の３つの第３の部分６ａと形状が異なっている。本実施形態１において、１つの第３の部分６ａ（図３中、右上）は、一端部（チップ支持体５側）とその反対側の他端部（樹脂封止体９の側面側）との間の途中部分の幅が一端部及び他端部よりも広くなっており、他の３つの第３の部分６ａ（図３中、右下、左上、左下）は、一端部から他端部に亘ってほぼ同一の幅（ストレート形状）になっている。
【００３４】
このように、４本の吊りリード６の第３の部分６ａは、樹脂封止体９の裏面９ｙの４つの角部において樹脂封止体９の裏面９ｙから露出し、この４つの第３の部分６ａのうちの１つの第３の部分６ａは、他の３つの第３の部分６ａと形状が異なっていることから、形状が異なる１つの第３の部分６ａを、樹脂封止体９（半導体装置１ａ）の向きを識別するためのインデックスＩＤとして用いることができるため、樹脂封止体９の裏面９ｙにインデックスＩＤを設けることができる。  半導体装置１ａは、その製造において、図５に示すように、樹脂封止体９の裏面９ｙを上向きにした状態でトレイ１０の収納部に収納される。外観検査工程では、トレイ１０の収納部から半導体装置１ａを取り出し、その後、樹脂封止体９の裏面９ｙの外部端子（リード４の一部）がレジンバリ等の異物によって覆われてしまうといった不具合等を目視によって検査し、その後、元の状態でトレイ１０の収納部に半導体装置１ａを収納する。
【００３５】
この時、樹脂封止体９の裏面９ｙには、吊りリード６の第３の部分６ａで構成されたインデックスＩＤが設けられているため、樹脂封止体９の主面（裏面と反対側の面）に設けられたインデックスを確認することなく、半導体装置１ａを元の状態でトレイに収納することができる。従って、半導体装置１ａの外観検査効率の向上を図ることができる。
【００３６】
また、樹脂封止体９の裏面９ｙを上向きにした状態でトレイの収納部に半導体装置１ａを収納しても、樹脂封止体９の向きを認識することができる。
【００３７】
また、半導体装置１ａを解析する際、樹脂封止体９の裏面９ｙから見て解析ピンが容易に判別できる。
【００３８】
また、吊りリード６の第３の部分６ａは樹脂封止体９の樹脂と比較して光の反射率が良いため、光センサーによる自動認識装置で半導体装置１ａの向きを容易に認識することができる。
【００３９】
また、インデックスＩＤは、樹脂封止体９の裏面９ｙの角部に設けられているため、目視においても容易に認識することができる。
【００４０】
図６は、実施形態１の変形例１である半導体装置の外観を示す模式的底面図（下面図）である。
【００４１】
前述の実施形態１では、一部の幅が広い形状で１つの第３の部分６ａ（図３中、右上）を形成した例について説明したが、図６に示すように、一部の幅が広い形状で３つの第３の部分６ａを形成してもよい。この場合、３つの第３の部分６ａと形状が異なる１つの第３の部分６ａ（図６中、右上）をインデックスＩＤとて用いることができる。
【００４２】
図７は、実施形態１の変形例２である半導体装置の外観を示す模式的底面図（下面図）である。
【００４３】
本変形例２では、４つの第３の部分６ａが一端部から他端部に亘ってほぼ同一幅の形状で形成されており、４つの第３の部分６ａのうちの１つの第３の部分６ａ（図７中、右上）が、他の３つの第３の部分６ａよりも細くなっている。この場合においても、３つの第３の部分６ａと形状が異なる１つの第３の部分６ａ（図７中、右上）をインデックスＩＤとて用いることができる。
【００４４】
また、吊りリード６を細くする仕様においては、吊りリード６と隣合うリード４に対して実装時の導電性異物等によるショート不良を抑制する効果もある。
【００４５】
（実施形態２）
図８は、本実施形態２の半導体装置の外観を示す模式的底面図（下面図）、
図９は、図８の吊りリードに沿う模式的断面図である。
【００４６】
図８及び図９に示すように、本実施形態２の半導体装置１ｂは、基本的に前述の実施形態１と同様の構成になっており、以下の構成が異なっている。
【００４７】
即ち、チップ支持体５は、チップ搭載面（主面）と反対側の面（裏面）が樹脂封止体９の裏面９ｙから露出し、４本の吊りリード６は、平面的及び立体的に真っ直ぐ延びており、裏面全体が樹脂封止体９の裏面９ｙから露出している。また、４本の吊りリード６のうち、１本の吊りリード６（図８中、右上）は、一端部（チップ支持体５側）から途中に亘って他端部（樹脂封止体９の側面側）よりも細くなっており、他の３つの吊りリード６（図８中、右下、左上、左下）は、一端部と他端部との間の途中部分が一端部及び他端部よりも細くなっている。
【００４８】
このように、４本の吊りリード６のうち、１本の吊りリード６を他の３本の吊りリード６と異なる形状で形成することにより、本実施形態２においても、３本の吊りリード６と形状が異なる１本の吊りリード６（図８中、右上）をインデックスＩＤとして用いることができる。
【００４９】
また、本実施形態２においても、吊りリード６と隣合うリード４に対して実装時の導電性異物等によるショート不良を抑制する効果もある。
【００５０】
図１０は、実施形態２の変形例１である半導体装置の外観を示す模式的底面図（下面図）である。
【００５１】
前述の実施形態２では、一端部から途中に亘って他端部よりも細い形状で１本の吊りリード６（図８中、右上）を構成した例について説明したが、図１０に示すように、一端部と他端部との間の途中部分が一端部及び他端部よりも細い形状で１本の吊りリード６（図１０中、右上）を構成し、一端部から他端部に亘ってほぼ同一幅のストレート形状で他の３本の吊りリード６（図１０中、右下、左上、左下）を構成してもよい。この場合においても、３本の吊りリード６の形状と異なる１本の吊りリード６（図１０中、右上）をインデックスＩＤとして用いることができる。
【００５２】
図１１は、実施形態２の変形例２である半導体装置の外観を示す模式的底面図（下面図）である。
【００５３】
本変形例２では、４本の吊りリード６のうちの３本の吊りリード６が、一端部から他端部に亘ってほぼ同一幅のストレート形状になっており、他の１本の吊りリード６が、前述の実施形態１と同様に、一端部（チップ支持体５側）とその反対側の他端部（樹脂封止体９の側面側）との間の途中部分の幅が一端部及び他端部よりも広い形状になっている。この場合においても、３本の吊りリード６と形状が異なる１本の吊りリード６（図１１中、右上）をインデックスＩＤとて用いることができる。
【００５４】
（実施形態３）
図１２は、本実施形態３の半導体装置の外観を示す模式的底面図（下面図）である。
【００５５】
図１２に示すように、本実施形態３の半導体装置１ｃは、基本的に前述の実施形態１と同様の構成になっており、以下の構成が異なっている。
【００５６】
即ち、４本の吊りリード６の第３の部分６ａは同一形状になっており、樹脂封止体９の裏面９ｙにおいて、４つの角部のうちの１つの角部の近傍にインデックスＩＤが設けられている。本実施形態３のインデックスＩＤは、樹脂封止体９の裏面９ｙからその反対側の主面（９ｘ）に向かって窪む凹部で構成されている。このようなインデックスＩＤは、樹脂封止工程で使用される成形金型のキャビティに凸部を設けておくことにより容易に形成することができる。
【００５７】
本実施形態３においても、樹脂封止体９の裏面９ｙの４つの角部のうちの１つの角部の近傍に設けられた凹部をインデックスＩＤとして用いることができる。
【００５８】
（実施形態４）
本実施形態４は、ＳＯＮ型半導体装置に本発明を適用した例である。
【００５９】
図１３は、本実施形態４である半導体装置の外観を示す模式的底面図（下面図）である。
【００６０】
図１３に示すように、本実施形態４の半導体装置１ｄは、樹脂封止体９の互いに反対側に位置する２つの長辺に沿って複数のリード４を配置したパッケージ構造になっている。チップ支持体５は、半導体チップ２が搭載されたチップ搭載面と反対側の面（裏面）が樹脂封止体９の裏面９ｙから露出し、チップ支持体５には２本の吊りリード６が一体的に連結されている。
【００６１】
２本の吊りリード６は、平面的及び立体的に真っ直ぐ延びており、裏面全体が樹脂封止体９の裏面９ｙから露出している。また、２本の吊りリード６は、チップ支持体５を挟んで互いに反対側に配置され、チップ支持体５から樹脂封止体９の短辺に向かって延びている。
【００６２】
２本の吊りリード６のうち、１本の吊りリード６（図１３中、上側）は、一端部（チップ支持体５側）とその反対側の他端部（樹脂封止体９の側面側）との間の途中部分の幅が一端部及び他端部よりも広い形状になっており、他の吊りリード６（図中、下側）は、一端部から他端部に亘ってほぼ同一幅のストレート形状になっている。
【００６３】
このように、２本の吊りリード６を異なる形状で形成することにより、本実施形態４においても、図１３中、上側の吊りリード６をインデックスＩＤとて用いることができ、また、下側の吊りリード６においてもインデックスとして用いることができる。
【００６４】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【図面の簡単な説明】
【００６５】
【図１】本発明の実施形態１である半導体装置の内部構造を示す模式的平面図である。
【図２】図１のａ−ａ線に沿う模式的断面図である。
【図３】本発明の実施形態１である半導体装置の外観を示す模式的底面図（下面図）である。
【図４】図１のｂ−ｂ線に沿う模式的断面図である。
【図５】本発明の実施形態１である半導体装置をトレイに収納した状態を部分的に示す模式的平面図である。
【図６】本発明の実施形態１の変形例１である半導体装置の外観を示す模式的底面図（下面図）である。
【図７】本発明の実施形態１の変形例２である半導体装置の外観を示す模式的底面図（下面図）である。
【図８】本発明の実施形態２である半導体装置の外観を示す模式的底面図（下面図）である。
【図９】図８の吊りリードに沿う模式的断面図である。
【図１０】本発明の実施形態２の変形例１である半導体装置の外観を示す模式的底面図（下面図）である。
【図１１】本発明の実施形態２の変形例２である半導体装置の外観を示す模式的底面図（下面図）である。
【図１２】本発明の実施形態３である半導体装置の外観を示す模式的底面図（下面図）である。
【図１３】本発明の実施形態４である半導体装置の外観を示す模式的底面図（下面図）である。
【符号の説明】
【００６６】
１ａ，１ｂ，１ｃ，１ｄ…半導体装置、２…半導体チップ、３…ボンディングパッド、４…リード、５…チップ支持体（タブ，ダイパッド）６…吊りリード、７…接着材、８…ボンディングワイヤ、９…樹脂封止体、ＩＤ…インデックス（指標）。
【図１】
2006229263.tif 000003
【図２】
2006229263.tif 000004
【図３】
2006229263.tif 000005
【図４】
2006229263.tif 000006
【図５】
2006229263.tif 000007
【図６】
2006229263.tif 000008
【図７】
2006229263.tif 000009
【図８】
2006229263.tif 000010
【図９】
2006229263.tif 000011
【図１０】
2006229263.tif 000012
【図１１】
2006229263.tif 000013
【図１２】
2006229263.tif 000014
【図１３】
2006229263.tif 000015